(57)【特許請求の範囲】
【請求項１】
テントアッセンブリであって、前記テントアッセンブリは、
支持フレームを備え、前記支持フレームは、
上部ベースと、
前記上部ベースと枢動可能に接続され、前記上部ベースの周囲に隔置して配置される複数の支持ロッドユニットとを備え、各支持ロッドユニットは、
第１の端部及び第２の端部を有し、前記第１の端部が前記上部ベースに接続される上部ロッドと、
前記上部ロッドの前記第２の端部に接続される第１の継手とを備え、前記第１の継手は、
前記上部ロッドの前記第２の端部に接続される第１の接続ロッドと、
第２の接続ロッドと、
枢支点とを備え、各支持ロッドユニットは、
前記第１の継手に接続される中間ロッドと、
第１の端部及び第２の端部を有する２つのフックとを備え、前記フックの前記第２の端部は前記第１の継手の前記枢支点から隔置する位置で前記第１の継手の前記第１の接続ロッド及び前記第２の接続ロッドにそれぞれ枢動可能に接続され、前記テントアッセンブリは、
前記支持フレームに接続されたレインフライを備え、前記レインフライは、
前記支持ロッドユニットに接続される複数の接続ユニットを備え、各接続ユニットは、
隔置して配置され、前記支持ロッドユニットの１つの前記上部ロッド及び前記中間ロッドに接続される複数の接続ロープと、
前記支持ロッドユニットの対応する１つの前記フックの前記第１の端部の周囲に装着される少なくとも１つの弾性ベルトとを備え、
各支持ロッドユニットの前記第１の継手は、
前記支持ロッドユニットの前記第１の継手の前記第１の接続ロッドに半径方向に形成される第１の貫通孔と、
前記第１の貫通孔及び前記第１の継手の前記第１の接続ロッドに接続される前記上部ロッドを介して装着される第１の枢軸とを備え、
各支持ロッドユニットの前記中間ロッドは、
前記中間ロッドに半径方向に形成される第２の貫通孔と、
前記中間ロッドに接続される前記支持ロッドユニットの前記第１の継手の前記第２の貫通孔及び前記第２の接続ロッドを介して装着される第２の枢軸とを備え、
各支持ロッドユニットの前記フックの前記第２の端部は前記支持ロッドユニットの第１の枢軸及び第２の枢軸の周囲にそれぞれ回転可能に装着されることを特徴とするテントアッセンブリ。
【請求項２】
各支持ロッドユニットの前記上部ロッドは１つの長さ（Ｌ１）を有し、前記レインフライは前記支持ロッドユニットの１つの前記上部ベース及び前記第１の継手にそれぞれ接続される接続ロープ（２１）及び弾性ベルト（２２）間に形成される長さ（Ｌ２）を有し、各支持ロッドユニットの前記上部ロッドの長さは前記レインフライの長さよりも長いことを特徴とする請求項１記載のテントアッセンブリ。
【請求項３】
各支持ロッドユニットの前記上部ロッドの長さは前記レインフライの長さの１０５％であることを特徴とする請求項２記載のテントアッセンブリ。
【請求項４】
各支持ロッドユニットの前記第１の継手の前記第１の接続ロッド及び前記第２の接続ロッドは枢支点で互いに枢動可能に接続され、
各支持ロッドユニットの前記第１の継手の前記第１の接続ロッドは前記支持ロッドユニットの前記上部ロッドの前記第２の端部の周囲に装着され、
各支持ロッドユニットの前記中間ロッドは第１の端部及び第２の端部を有し、前記中間ロッドの前記第１の端部は前記支持ロッドユニットの前記第１の継手の前記第２の接続ロッドに接続され、各支持ロッドユニットは、
第２の継手を備え、前記第２の継手は、
前記支持ロッドユニットの前記中間ロッドの前記第２の端部に接続され、前記支持ロッドユニットの前記中間ロッドの前記第２の端部の周囲に装着される第１の接続ロッドと、
第２の接続ロッドとを備え、各支持ロッドユニットは、
前記支持ロッドユニットの前記第２の継手の前記第２の接続ロッドに接続される下部ロッドを備えることを特徴とする請求項３記載のテントアッセンブリ。
【請求項５】
各接続ユニットの少なくとも１つの弾性ベルトは数量的に２個として実装され、各接続ユニットの２つの弾性ベルトは対応する支持ロッドユニットの前記フックの前記第１の端部の周囲にそれぞれ装着されることを特徴とする請求項１乃至請求項４何れか１項記載のテントアッセンブリ。
【請求項６】
前記上部ベースはガラス繊維で作成されることを特徴とする請求項１乃至請求項５何れか１項記載のテントアッセンブリ。
【請求項７】
各弾性ベルトはループとして形成されることを特徴とする請求項１乃至請求項６何れか１項記載のテントアッセンブリ。
【発明の詳細な説明】
【技術分野】
【０００１】
本発明は、テントアッセンブリに関し、特に容易に組立て、解体することができるテントアッセンブリに関する。
【背景技術】
【０００２】
テントは、設営、撤収、輸送を簡単に行なうことができ、キャンプ及び宿泊に便利なツールである。従来のテントは実質的に、支持フレーム、レインフライ及び複数の支持ロープを含んでいる（例えば特許文献１参照）。支持フレームはレインフライを支持するための複数のロッドを含み、支持ロープはレインフライとグランドとの間に接続されてテントをグランド上に支持する。
【０００３】
図７及び図８を参照するに、従来のテントのレインフライ４０は拡張されて支持フレーム３０に接続し、支持フレーム３０によって支持され、支持フレーム３０は支持効果をレインフライ４０に拡張された状態で与える。従来のテントの支持フレーム３０は、実質的に、複数の上部ロッド３１、複数の継手３２、複数の下部ロッド３３、複数のフック３４及び複数の弾性ベルト３５を含んでいる。フック３４は継手３２の枢支点で継手３２とそれぞれ枢動可能に接続され、弾性ベルト３５はフック３４にそれぞれ接続される。しかしながら、弾性ベルト３５は支持フレーム３０が折り畳まれた状態にあるときでも未だ拡張されて、このため弾性ベルト３５は簡単に弾性疲労を発現してしまう。したがって、支持フレーム３０はレインフライ４０に十分な支持効果を提供することはできていない。
【先行技術文献】
【特許文献】
【０００４】
【特許文献１】ＪＰ  ３９４４８８４  Ｂ２
【発明の概要】
【発明が解決しようとする課題】
【０００５】
これらの欠点を克服するために、本発明は前述の問題を軽減又は回避するテントアッセンブリを提供せんとするものである。
【課題を解決するための手段】
【０００６】
本発明の主目的は、組立て及び解体が容易に可能で、かつ弾性疲労を蒙らないよう弾性ベルを保持できるテントアッセンブリを提供することである。
【０００７】
テントアッセンブリは、支持フレーム及びレインフライを有している。支持フレームは、上部ベースと、上部ベースに枢動可能に接続され、上部ベースの周囲に隔置して配置された複数の支持ロッドユニットとを含んでいる。各支持ロッドユニットは上部ロッド、第１の継手、中間ロッド及び２つのフックを有している。上部ロッドは、第１の端部及び第２の端部を有し、第１の端部は上部ベースに接続されている。第１の継手は、上部ロッドの第２の端部に接続され、第１の接続ロッド、第２の接続ロッド及び枢支点を有している。第１の接続ロッドは上部ロッドの第２の端部と接続されている。中間ロッドは第１の継手と接続されている。各フックは第１の端部及び第２の端部を有している。フックの第２の端部は第１の継手の枢支点から離間した位置で第１の継手の第１の接続ロッド及び第２の接続ロッドにそれぞれ枢動可能に接続されている。レインフライは支持フレームに接続され、支持ロッドユニットと接続された複数の接続ユニットを有している。各接続ユニットは複数の接続ロープ及び少なくとも１つの弾性ベルトを有している。接続ロープは隔置して配置され、支持ロッドユニットの１つの上部ロッド及び中間ロッドに接続されている。少なくとも１つの弾性ベルトは支持ロッドユニットの対応する１つのフックの第１の端部の周囲に装着されている。
【０００８】
本発明の他の目的、利点及び新規な特徴は、以下の詳細な説明から添付の図面を併せて参照することで一層明らかとなる。
【図面の簡単な説明】
【０００９】
【図１】本発明に係るテントアッセンブリの側面図である。
【図２】図１におけるテントアッセンブリの第１の継手、上部ロッド、中間ロッド及び２つのフックの拡大斜視図である。
【図３】図２におけるテントアッセンブリの第１の継手、上部ロッド、中間ロッド、２つのフック及び２つの弾性ベルトの分解斜視図である。
【図４】図２におけるテントアッセンブリの第１の継手、上部ロッド、中間ロッド、フック及び弾性ベルトの側面図である。
【図５】図２におけるトンアッセンブリの第１の継手、上部ロッド、中間ロッド、フック及び弾性ベルトの動作側面図である。
【図６】本発明によるテントアッセンブリの第１の継手、上部ロッド、中間ロッド、２つのフック及び２つの弾性ベルトの他の実施例の斜視図である。
【図７】従来のテントの側面図である。
【図８】図７におけるトンアッセンブリの第１の継手、上部ロッド、中間ロッド、フック及び弾性ベルトの側面図である。
【発明を実施するための形態】
【００１０】
次に、本発明にしたがうテントアッセンブリを好ましい実施例について図面を参照して詳述する。
【００１１】
図１〜図３を参照するに、本発明に係るテントアッセンブリは支持フレーム１０及びレインフライ２０を含んでいる。
【００１２】
支持フレーム１０は上部ベース１１及び複数の支持ロッドユニット１０１を含んでいる。上部ベース１１はガラス繊維から作成することができる。支持ロッドユニット１０１は上部ベース１１に枢動可能に接続され、かつ上部ベース１１の周囲に隔置して配置され、各支持ロッドユニット１０１は上部ロッド１２、第１の継手１３、中間ロッド１４、２つのフック１７、第２の継手１５及び下部ロッド１６を含んでいる。上部ロッド１２は、第１の端部及び第２の端部を有し、第１の端部は上部ベース１１に接続される。第１の継手１３は、上部ロッド１２の第２の端部に接続され、第１の接続ロッド１３１、第２の接続ロッド１３２及び枢支点Ｃを有している。第１の接続ロッド１３１及び第２の接続ロッド１３２は枢支点Ｃにおいて互いに枢動可能に接続されている。第１の接続ロッド１３１は、上部ロッド１２の第２の端部に接続される。好ましくは、第１の接続ロッド１３１は中空であり、上部ロッド１２の第２の端部の周囲に装着される。さらに、第１の接続ロッド１３１は、第１の接続ロッド１３１に半径方向に形成された第１の貫通孔１３３を有する。第１の枢軸１８１は第１の貫通孔１３３及び上部ロッド１２を介して装着される。
【００１３】
中間ロッド１４は第１の継手１３と接続され、好ましくは第１の継手１３の第２の接続ロッド１３２に接続される。中間ロッド１４は中間ロッド１４に半径方向に形成された第２の貫通孔１４１を有する。第２の枢軸１８２は第２の貫通孔１４１及び第２の接続ロッド１３２を介して装着される。
【００１４】
フック１７の各々は第１の端部及び第２の端部を有している。フックの第２の端部は、第１の継手１３の枢支点Ｃから離間した位置で第１の継手１３の第１の接続ロッド１３１及び第２の接続ロッド１３２にそれぞれ枢動可能に接続される。好ましくは、フック１７の第２の端部は第１の枢軸１８１及び第２の枢軸１８２の周囲にそれぞれ回転可能に装着される。
【００１５】
第２の継手１５は中間ロッド１４の第２の端部に接続され、第１の接続ロッド１５１及び第２の接続ロッド１５２を有している。第１の接続ロッド１５１は第２の接続ロッド１５２に枢動可能に接続される。第１の接続ロッド１５１は中間ロッド１４の第２の端部に接続され、かつ中間ロッド１４の第２の端部の周囲に装着される。下部ロッド１６は第２の継手１５の第２の接続ロッド１５２に接続される。
【００１６】
図１及び図２を参照するに、レインフライ２０は支持フレーム１０に接続され、複数の接続ユニットを含んでいる。接続ユニットは支持ロッドユニット１０１と接続され、各接続ユニットは複数の接続ロープ２１及び少なくとも１つの弾性ベルト２２を含んでいる。接続ロープ２１は隔置して配置され、支持ロッドユニット１０１の１つの上部ロッド１２、中間ロッド１４及び下部ロッド１６に接続される。少なくとも１つの弾性ベルト２２は支持ロッドユニット１０１のうちの対応する１つのフック１７の第１の端部の周囲に装着される。この実施例において、１つの弾性ベルト２２が実装されている。別法として、図６を参照するに、２つの弾性ベルト２２が実装され、２つの弾性ベルト２２は対応する支持ロッドユニット１０１のフック１７の第１の端部の周囲にそれぞれ装着される。また、弾性ベルト２２はループとして形成される。
【００１７】
図１を参照するに、各支持ロッドユニット１０１の上部ロッド１２は長さＬ１を有し、レインフライ２０は支持ロッドユニット１０１の１つの上部ベース１１及び第１の継手１３にそれぞれ接続される接続ロープ２１の２つの間に形成される長さＬ２を有する。各支持ロッドユニット１０１の上部ロッド１２の長さＬ１はレインフライ２０の長さＬ２よりも長い。好ましくは、各支持ロッドユニット１０１の上部ロッド１２の長さＬ１はレインフライ２０の長さＬ２の１０５％である。
【００１８】
図１、図４及び図５を参照するに、テントアッセンブリを設営するには、支持ロッドユニット１０１が起立され、拡張され、レインフライ２０が弾性ベルト２２及び接続ロープ２１により支持フレーム１０の内側で完全に拡張され、支持されるようにする。したがって、テントアッセンブリが容易に組立てられる。上部ロッド１２は上部ベース１１と第１の継手１３との間で若干湾曲していてもよい。何故なら、上部ロッド１２の長さＬ１はレインフライ２０の長さＬ２よりも長いからである。したがって、湾曲した上部ロッド１２は、優れた支持効果をレインフライ２０に与え、レインフライ２０が倒壊するのを防止することができる。テントアッセンブリを撤収するには、上部ロッド１２及び中間ロッド１４はレインフライ２０の内側に第１の継手１３の枢支点Ｃで枢動させると、弾性ベルト２２はフック１７から緩められる。次いで、下部ロッド１６及び中間ロッド１４が第２の継手１５に対して内側に枢動させると、支持枠１０を折り畳むことができる。フック１７は第１の継手１３の枢支点Ｃから離間した位置で第１の継手１３に接続されているため、各第１の継手１３の枢支点Ｃと対応するフック１７及び弾性ベルト２２間の接続位置との距離が延長される。したがって、弾性ベルト２２は、効果的に緩められ、拡張されことがないように維持され、それでベルト２２は弾性疲労を抑制することができる。したがって、弾性ベルト２２の寿命を効率良く延長することができる。
【００１９】
本発明の幾つかの特徴及び利点が前述の説明において本発明の構造及び機能の詳細とともに記載されているものの、この開示は例示のみであり、多くの変更が、特に部品の形状、大きさ及び配置の問題で特許請求の範囲が表現している用語の広い一般的な意味によって示される全範囲に亘って本発明の原理内で詳細に行なうことができる。
【符号の説明】
【００２０】
１０・・・支持フレーム
１１・・・上部ベース
１２・・・上部ロッド
１３・・・第１の継手
１４・・・中間ロッド
１５・・・第２の継手
１６・・・下部ロッド
１７・・・フック
２０・・・レインフライ
２１・・・接続ロープ
２２・・・弾性ベルト
１０１・・・支持ロッドユニット
１３１・・・第１の接続ロッド
１３２・・・第２の接続ロッド
１３３・・・第１の貫通孔
１４１・・・第２の貫通孔
１５１・・・第１の接続ロッド
１５２・・・第２の接続ロッド
１８１・・・第１の枢軸
１８２・・・第２の枢軸
Ｃ・・・枢支点
Ｌ１・・・上部ロッドの長さ
Ｌ２・・・レインフライの長さ
【図１】
0006273309.tif 000002
【図２】
0006273309.tif 000003
【図３】
0006273309.tif 000004
【図４】
0006273309.tif 000005
【図５】
0006273309.tif 000006
【図６】
0006273309.tif 000007
【図７】
0006273309.tif 000008
【図８】
0006273309.tif 000009